(57)【要約】【課題】着用しやすく、排泄物の漏出が発生しにくい使い捨て吸収性物品を提供する。【解決手段】腹側部３と股下部４と背側部５とが順次配置された吸収物品体２を具備する。この吸収物品体２は、少なくとも股下部４に位置するように吸収本体８が配設されている。この吸収本体８は、吸収体13の両側縁部より外側に位置するフラップ部17と、フラップ部17の長手方向に沿って伸張状態で配設されたフラップ弾性体19と、フラップ弾性体19より幅方向の内側に伸張状態で配設された股下弾性体21とを有する。股下弾性体21は、幅方向の外側へ凸状に配置された湾曲部22を有している。そして、フラップ弾性体19および股下弾性体21が収縮することでフラップ部17が立ち上がって、立体ギャザーが起立状態となる。【選択図】図１
2020049287.tif 000002
【特許請求の範囲】
【請求項１】
腹側部と股下部と背側部とが長手方向に沿って順次配置された吸収物品体を具備し、この吸収物品体は、少なくとも前記腹側部および前記背側部に位置する外装シートと、少なくとも股下部に位置するように前記外装シートの表面側に配設された吸収本体とを備え、前記股下部を中心に表面側が内側となるように前記腹側部と前記背側部とを対向させた状態でこれら腹側部および背側部の両側部同士を接合することにより、ウエスト開口部と、１対の脚周り開口部とが形成された状態で使用される使い捨て吸収性物品において、
前記吸収本体は、表面側に位置する透液性の表面シートと、裏面側に位置する不透液性の裏面シートと、これら表面シートと裏面シートとの間に位置する吸収体とを有し、
前記吸収本体は、前記表面シートおよび前記裏面シートにおける前記吸収体より外側の部分である１対のフラップ部と、前記フラップ部に伸張状態で配設されたフラップ弾性体と、前記フラップ弾性体より幅方向の内側に伸張状態で配設された股下弾性体とを有し、
前記股下弾性体は、幅方向の外側へ凸状に配置された凸部を有している
ことを特徴とする使い捨て吸収性物品。
【請求項２】
腹側部と股下部と背側部とが長手方向に沿って順次配置された吸収物品体を具備し、この吸収物品体は、少なくとも前記腹側部および前記背側部に位置する外装シートと、少なくとも股下部に位置するように前記外装シートの表面側に配設された吸収本体とを備え、前記股下部を中心に表面側が内側となるように前記腹側部と前記背側部とを対向させた状態でこれら腹側部および背側部の両側部同士を接合することにより、ウエスト開口部と、１対の脚周り開口部とが形成された状態で使用される使い捨て吸収性物品において、
前記吸収本体は、表面側に位置する透液性の表面シートと、裏面側に位置する不透液性の裏面シートと、これら表面シートと裏面シートとの間に位置する吸収体とを有し、
前記吸収本体は、前記吸収体の両側縁部より外側に位置する１対のフラップ部と、前記フラップ部に伸張状態で配設されたフラップ弾性体と、前記フラップ弾性体より幅方向の内側に伸張状態で配設された股下弾性体とを有し、
前記股下弾性体は、幅方向の外側へ凸状に配置された凸部を有し、かつ、少なくとも前記裏面シートに伸張状態で固定されている
ことを特徴とする使い捨て吸収性物品。
【請求項３】
腹側部と股下部と背側部とが長手方向に沿って順次配置された吸収物品体を具備し、この吸収物品体は、少なくとも前記腹側部および前記背側部に位置する外装シートと、少なくとも股下部に位置するように前記外装シートの表面側に配設された吸収本体とを備え、前記股下部を中心に表面側が内側となるように前記腹側部と前記背側部とを対向させた状態でこれら腹側部および背側部の両側部同士を接合することにより、ウエスト開口部と、１対の脚周り開口部とが形成された状態で使用される使い捨て吸収性物品において、
前記吸収本体は、表面側に位置する透液性の表面シートと、裏面側に位置する不透液性の裏面シートと、これら表面シートと裏面シートとの間に位置する吸収体とを有し、
前記吸収本体は、前記吸収体の両側縁部より外側に位置する１対のフラップ部と、前記フラップ部に伸張状態で配設されたフラップ弾性体と、前記フラップ弾性体より幅方向の内側に伸張状態で配設された股下弾性体とを有し、
前記股下弾性体は、幅方向の外側へ凸状に配置された凸部を有し、
前記フラップ弾性体および前記股下弾性体が収縮することで、前記表面シートおよび前記裏面シートにおける前記吸収体より外側の部分である前記フラップ部が立ち上がって立体ギャザーが形成される
ことを特徴とする使い捨て吸収性物品。
【発明の詳細な説明】
【技術分野】
【０００１】
本発明は、使用状態において、ウエスト開口部と１対の脚周り開口部とを有する使い捨て吸収性物品に関する。
【背景技術】
【０００２】
従来、パンツ型の使い捨て吸収性物品において、着用時の脚周りのフィット性を確保するために、脚周り開口部を囲うように弾性体が配設されている。
【０００３】
しかしながら、弾性体の収縮によって脚周り開口部の面積が狭くなり、着用する際に着用者が脚を脚周り開口部に通しにくい場合がある。
【０００４】
そこで、特許文献１に示すように、股間部分において、吸収体の両側縁が外層シートの両側縁より幅方向の外側に位置する構成により、脚通し穴を従来のものより下方に向かって開口させ、脚を通しやすくした構成が知られている。
【０００５】
また、特許文献２に示すように、股下部に幅方向に沿って弾性体を伸張状態で配設し、その弾性体の収縮により股下部の幅を狭めて、脚を通しやすくした構成が知られている。
【先行技術文献】
【特許文献】
【０００６】
【特許文献１】特開平１１−１０７００７号公報
【特許文献２】特開２０１０−９４１８２号公報
【発明の概要】
【発明が解決しようとする課題】
【０００７】
しかしながら、上述の特許文献１の構成では、太もも部分が脚周り開口部に引っ掛かることを防止できるが、脚周り開口部に脚を挿入した際に踵やつま先が、吸収体の両側縁等脚周り開口部周辺の部材に引っ掛かり易くなってしまい、着用しにくくなる可能性が考えられる。
【０００８】
また、上述の特許文献２の構成では、弾性体が吸収体の幅方向に沿って配置されており、弾性体の収縮によって吸収体が幅方向に収縮するように変形するため、吸収体の幅方向への排泄物の漏出が発生しやすくなる可能性が考えられる。
【０００９】
本発明はこのような点に鑑みなされたもので、着用しやすく、排泄物の漏出が発生しにくい使い捨て吸収性物品を提供することを目的とする。
【課題を解決するための手段】
【００１０】
請求項１に記載された使い捨て吸収性物品は、腹側部と股下部と背側部とが長手方向に沿って順次配置された吸収物品体を具備し、この吸収物品体は、少なくとも前記腹側部および前記背側部に位置する外装シートと、少なくとも股下部に位置するように前記外装シートの表面側に配設された吸収本体とを備え、前記股下部を中心に表面側が内側となるように前記腹側部と前記背側部とを対向させた状態でこれら腹側部および背側部の両側部同士を接合することにより、ウエスト開口部と、１対の脚周り開口部とが形成された状態で使用される使い捨て吸収性物品において、前記吸収本体は、表面側に位置する透液性の表面シートと、裏面側に位置する不透液性の裏面シートと、これら表面シートと裏面シートとの間に位置する吸収体とを有し、前記吸収本体は、前記表面シートおよび前記裏面シートにおける前記吸収体より外側の部分である１対のフラップ部と、前記フラップ部に伸張状態で配設されたフラップ弾性体と、前記フラップ弾性体より幅方向の内側に伸張状態で配設された股下弾性体とを有し、前記股下弾性体は、幅方向の外側へ凸状に配置された凸部を有しているものである。
【００１１】
請求項２に記載された使い捨て吸収性物品は、腹側部と股下部と背側部とが長手方向に沿って順次配置された吸収物品体を具備し、この吸収物品体は、少なくとも前記腹側部および前記背側部に位置する外装シートと、少なくとも股下部に位置するように前記外装シートの表面側に配設された吸収本体とを備え、前記股下部を中心に表面側が内側となるように前記腹側部と前記背側部とを対向させた状態でこれら腹側部および背側部の両側部同士を接合することにより、ウエスト開口部と、１対の脚周り開口部とが形成された状態で使用される使い捨て吸収性物品において、前記吸収本体は、表面側に位置する透液性の表面シートと、裏面側に位置する不透液性の裏面シートと、これら表面シートと裏面シートとの間に位置する吸収体とを有し、前記吸収本体は、前記吸収体の両側縁部より外側に位置する１対のフラップ部と、前記フラップ部に伸張状態で配設されたフラップ弾性体と、前記フラップ弾性体より幅方向の内側に伸張状態で配設された股下弾性体とを有し、前記股下弾性体は、幅方向の外側へ凸状に配置された凸部を有し、かつ、少なくとも前記裏面シートに伸張状態で固定されているものである。
【００１２】
請求項３に記載された使い捨て吸収性物品は、腹側部と股下部と背側部とが長手方向に沿って順次配置された吸収物品体を具備し、この吸収物品体は、少なくとも前記腹側部および前記背側部に位置する外装シートと、少なくとも股下部に位置するように前記外装シートの表面側に配設された吸収本体とを備え、前記股下部を中心に表面側が内側となるように前記腹側部と前記背側部とを対向させた状態でこれら腹側部および背側部の両側部同士を接合することにより、ウエスト開口部と、１対の脚周り開口部とが形成された状態で使用される使い捨て吸収性物品において、前記吸収本体は、表面側に位置する透液性の表面シートと、裏面側に位置する不透液性の裏面シートと、これら表面シートと裏面シートとの間に位置する吸収体とを有し、前記吸収本体は、前記吸収体の両側縁部より外側に位置する１対のフラップ部と、前記フラップ部に伸張状態で配設されたフラップ弾性体と、前記フラップ弾性体より幅方向の内側に伸張状態で配設された股下弾性体とを有し、前記股下弾性体は、幅方向の外側へ凸状に配置された凸部を有し、前記フラップ弾性体および前記股下弾性体が収縮することで、前記表面シートおよび前記裏面シートにおける前記吸収体より外側の部分である前記フラップ部が立ち上がって立体ギャザーが形成されるものである。
【発明の効果】
【００１３】
本発明によれば、着用しやすく、排泄物の漏出を発生しにくくできる。
【図面の簡単な説明】
【００１４】
【図１】本発明の第１の実施の形態に係る使い捨て吸収性物品の展開状態を示す平面図である。
【図２】同上使い捨て吸収性物品の使用状態を示す正面図である。
【図３】同上使い捨て吸収性物品の使用状態を示す側面図である。
【図４】（ａ）は同上使い捨て吸収性物品の展開状態における吸収本体の断面図で、（ｂ）は同上使い捨て吸収性物品の使用状態における吸収本体の断面図である。
【図５】同上使い捨て吸収性物品の展開状態における吸収本体の一部を示す平面図である。
【図６】（ａ）ないし（ｄ）は、使い捨て吸収性物品における股下弾性体の変形例を示す平面図である。
【図７】本発明の第２の実施の形態に係る使い捨て吸収性物品の展開状態を示す平面図である。
【図８】同上使い捨て吸収性物品の使用状態を示す正面図である。
【発明を実施するための形態】
【００１５】
以下、本発明の第１の実施の形態の構成について図面を参照しながら詳細に説明する。
【００１６】
図１において、１は使い捨て吸収性物品を示す。この使い捨て吸収性物品１は、例えば大人用あるいは失禁用等のパンツ型の使い捨ておむつ等である。
【００１７】
使い捨て吸収性物品１は、展開状態にて長手方向および幅方向を有する吸収物品体２を備えている。
【００１８】
この吸収物品体２は、腹側部３と、股下部４と、背側部５とが長手方向に沿って順次配置されている。
【００１９】
また、吸収物品体２は、外装シートとしての腹側外装シート６が腹側部３から股下部４の一部に亘って配置され、外装シートとしての背側外装シート７が背側部５から股下部４の一部に亘って配置されている。また、略矩形状の吸収本体８が、幅方向中央部において腹側外装シート６の表面側の一部から背側外装シート７の表面側の一部へ跨ぐように配置されている。
【００２０】
すなわち、吸収物品体２は、吸収本体８が少なくとも股下部４に位置するように設けられ、腹側外装シート６が少なくとも腹側部３に位置するように設けられ、背側外装シート７が少なくとも背側部５に位置するように設けられている。
【００２１】
そして、吸収物品体２は、股下部４を中心に表面側が内側となるように腹側部３と背側部５とを対向させた状態で、これら腹側部３および背側部５の幅方向の両側部同士を接合することによって、図２および図３に示すように、上部に１つのウエスト開口部９が形成され、下部に１対の脚周り開口部10が形成されたパンツタイプ形状の使用状態となる。
【００２２】
このような使い捨て吸収性物品１は、図１に示す展開状態から図２および図３に示すパンツタイプ形状にして、着用者の胴周りにおける腹部、股下および背部に亘って身体に沿って装着される。すなわち、使い捨て吸収性物品１を着用した状態では、腹側部３が着用者の腹部に対応して配置され、股下部４が着用者の股下に対応して配置され、背側部５が着用者の背部に対応して配置される。
【００２３】
吸収本体８は、着用者側である表面側に位置する略矩形状の表面シート11と、着用者の衣服側である裏面側に位置する略矩形状の裏面シート12とを有している。また、これら表面シート11と裏面シート12との間には吸収体13が配設されている。すなわち、吸収本体８は、表面シート11と吸収体13と裏面シート12とが断面方向に順次積層されている。
【００２４】
また、吸収本体８は、表面シート11と裏面シート12との間に吸収体13が挟まれた状態にて、表面シート11と裏面シート12とを例えば接着剤等にて接合することにより封着されている。
【００２５】
表面シート11は、例えば尿等の液状の排泄物を透過可能な液透過性（透液性）のシートであり、例えば織布、不織布、フィルムおよび合成樹脂等のシート材にて適宜形成される。
【００２６】
裏面シート12は、排泄物を透過させない液不透過性（不透液性）のシート体である。
【００２７】
また、裏面シート12は、吸収体13側に位置する裏面内側シート14と、この裏面内側シート14の外側に積層された裏面外側シート15とを有している。
【００２８】
これら裏面内側シート14および裏面外側シート15は、それぞれ不透液性であり、例えば織布、不織布、フィルムおよび合成樹脂等のシート材にて適宜形成される。
【００２９】
吸収体13は、長手方向の略中央部が幅方向の内側へ向かって凹状に切り欠かれて括れた形状、いわゆる略砂時計型形状である。すなわち、吸収体13は、長手方向の中央部に長手方向の両端部より幅寸法が小さい括れ部16を有している。
【００３０】
また、吸収体13は、例えばパルプ等の吸収性繊維および高吸水性ポリマ等の吸水性材料にて形成され、排泄物を十分に吸収可能である。
【００３１】
そして、着用者の排泄物は、一時的に表面シート11上に保持されながら表面シート11を透過して吸収体13に吸収され、吸収された排泄物が着用者の衣服側である裏面側へ漏出しないように裏面シート12にて保持される。
【００３２】
ここで、図４（ａ）および（ｂ）に示すように、吸収本体８の裏面外側シート15の幅方向の両側部は、裏面内側シート14および表面シート11側へ折り返されており、この折り返された部分と、表面シート11および裏面シート12における吸収体13より外側の部分とでフラップ部17が構成されている。
【００３３】
すなわち、これら１対のフラップ部17は、吸収体13の両側縁部よりも外側に位置するように吸収本体８の幅方向の両側部に設けられ、使用状態において幅方向内側へ立ち上がって立体ギャザー18を構成する。
【００３４】
また、フラップ部17の幅方向の外側端部には、フラップ弾性体19が長手方向に沿って伸張状態で配設されている。
【００３５】
さらに、フラップ部17におけるフラップ弾性体19より幅方向の内側には、複数（例えば２本）の股下弾性体21が互いに平行に配設されている。
【００３６】
これら股下弾性体21は、裏面内側シート14と裏面外側シート15との間に伸張状態で固定されている。
【００３７】
また、股下弾性体21は、幅方向の外側へ凸状に湾曲して配置された凸部としての湾曲部22を有している。すなわち、湾曲部22は、股下弾性体21において、伸張状態で凸状に湾曲して配設された箇所である。
【００３８】
また、湾曲部22は、吸収本体８における括れ部16の幅方向の外側に配置されている。言い換えると、湾曲部22は、吸収本体８の長手方向において括れ部16の範囲に対応して配置され、括れ部16から幅方向の外側に膨出する円弧を描くように配置されている。
【００３９】
なお、湾曲部22は、円弧の最外縁部が股下部４における長手方向の中央部に位置するように配設される構成が好ましい。
【００４０】
また、股下弾性体21は、両端部が吸収体13における幅方向の外側縁部と平面視で交差するように配置されている。すなわち、股下弾性体21は、両端側が平面視で吸収体13の外側縁部と重なって交差するように配置されている。
【００４１】
なお、股下弾性体21は、両端側が平面視で吸収体13の外側縁部と交差していればよく、例えば、股下弾性体21の両端部が平面視で吸収体13の外側縁部に接続される構成や、股下弾性体21の両端側が平面視で吸収体13の外側縁部を通過するように交差する構成等でもよい。
【００４２】
さらに、図５に示すように、股下弾性体21は、吸収物品体２がパンツタイプ形状である場合の湾曲部22の自然長の寸法が、吸収物品体２が展開された湾曲部22の両端部を直線状に結んだ仮想線Ｌの長さ寸法以下である。すなわち、吸収物品体２をパンツタイプ形状にした状態において、股下弾性体21に外力が付与されずに収縮した状態の湾曲部22の長さ寸法が、仮想線Ｌの長さ寸法以下である。
【００４３】
そして、使い捨て吸収性物品１の使用状態においては、フラップ弾性体19および股下弾性体21が収縮することで、図４（ｂ）に示すように、吸収本体８における吸収体13より幅方向外側の部分であるフラップ部17が内側へ立ち上がり立体ギャザー18が構成される。
【００４４】
具体的には、フラップ部17は、フラップ弾性体19とこのフラップ弾性体19より幅方向の内側に位置する股下弾性体21とが収縮することで、股下弾性体21に対応する箇所と、フラップ弾性体19に対応する箇所とが２段階で段階的に立ち上がって立体ギャザー18が起立状態となる。
【００４５】
また、吸収本体８は、長手方向の中央部が股下弾性体21によって内側に引き寄せられて幅が狭くなり、立体ギャザー18の内側にポケット状の空間が構成される。
【００４６】
腹側外装シート６および背側外装シート７は、幅方向の中央部が股下部４側へ突出した形状であり、幅方向の外側縁部における股下部４側の端部から幅方向の中央部の突出した部分まで円弧状に切り欠かれている。
【００４７】
そして、腹側外装シート６および背側外装シート７の股下部４側へ突出した部分を跨ぐように、腹側外装シート６および背側外装シート７の表面側に吸収本体８が配設されている。すなわち、吸収本体８と腹側外装シート６および背側外装シート７とは、一部が断面方向に積層されている。
【００４８】
腹側外装シート６および背側外装シート７は、着用者側（吸収本体８側）に位置する外装内面シート23と、着用者の衣服側に位置する外装外面シート24とを有している。
【００４９】
これら外装内面シート23および外装外面シート24は、例えば織布や不織布等のシートで形成され、排泄物の着衣への漏れを防止するために不透液性であることが好ましい。なお、外装内面シート23および外装外面シート24は、シート自体が伸縮性を有するように複合シートで形成された構成にしてもよい。
【００５０】
腹側部３および背側部５において、腹側外装シート６および背側外装シート７の外装内面シート23と外装外面シート24との間には、複数の糸状の胴周り弾性体25が、着用者の胴周り、すなわち吸収物品体２の幅方向に伸張状態で配設されている。
【００５１】
そして、これら胴周り弾性体25は、使い捨て吸収性物品１の使用状態において、パンツタイプ形状である吸収物品体２の幅方向すなわち着用者の横方向に伸縮可能である。そのため、着用する際には、ウエスト開口部９を広げることで胴周り弾性体25が伸張し、着用した状態においては胴周り弾性体25が収縮して腹側部３および背側部５が着用者の胴周りに密着する。
【００５２】
パンツタイプ形状の吸収物品体２は、股下部４において、腹側外装シート６および背側外装シート７の円弧状の切り欠かれた円弧状の縁部と、吸収本体８の幅方向の外側の両端縁部とで脚周り開口部10が構成される。
【００５３】
また、腹側外装シート６および背側外装シート７の円弧状の縁部のやや内側には、複数の脚周り弾性体26が配設されている。
【００５４】
これら脚周り弾性体26は、外装内面シート23と外装外面シート24との間に配置されて、腹側外装シート６および背側外装シート７の円弧状の縁部に沿って配設されている。
【００５５】
そして、吸収物品体２をパンツタイプ形状にした使用状態においては、脚周り弾性体26が収縮することで、脚周り開口部10にレッグギャザー27が構成されて、着用者の脚周りに密着する。
【００５６】
次に、上記第１の実施の形態の作用および効果を説明する。
【００５７】
使い捨て吸収性物品１は、吸収物品体２をパンツタイプ形状にした使用状態において、吸収本体８の両側に配設された股下弾性体21の湾曲部22の収縮により、吸収本体８の両側部が幅方向内側に引き寄せられる。そのため、股下部４における吸収本体８の長手方向の中央部の幅が狭くなって、脚周り開口部10が広く開口される。したがって、使い捨て吸収性物品１を着用する際に、着用者の脚を、ウエスト開口部９を通して脚周り開口部10に挿入しやすく着用しやすい。
【００５８】
また、吸収本体８の両側に位置するフラップ部17が、股下弾性体21およびフラップ弾性体19の収縮により段階的に立ち上がるため、立体ギャザー18が吸収体13より着用者側である上方へ立ち上がりやすく、より確実に起立状態にできるとともに、吸収本体８における股下弾性体21の湾曲部22が配置された箇所が幅方向内側に引き寄せられて、立体ギャザー18の内側にポケット状の空間が構成される。そのため、起立状態の立体ギャザー18が着用者の股下に対応するように変形して密着しやすく、立体ギャザー18の内側のポケット状の空間に排泄物を一時的に保持できるので、吸収本体８からの排泄物の漏出が発生しにくい。
【００５９】
さらに、使い捨て吸収性物品１内に別体のパッドタイプの使い捨て吸収性物品を配設して使用する際に、パッドタイプの使い捨て吸収性物品を立体ギャザー18によって包み込むように保持できるため、パッドタイプの使い捨て吸収性物品の位置ずれを防止して、パッドタイプの使い捨て吸収性物品を着用者の股下により確実に密着できる。
【００６０】
吸収体13が括れ部16を有し、股下弾性体21の湾曲部22が括れ部16の外側に配置されることにより、湾曲部22による幅方向への収縮力が吸収体13の剛性によって阻害されにくく、フラップ部17を効率的に幅方向へ収縮させて、立体ギャザー18をより確実に起立状態にできる。
【００６１】
また、一般的に括れ部16は着用者の股幅が狭くなる位置に対応して配置されているため、湾曲部22が括れ部16の外側に配置されることで、吸収本体８の長手方向における括れ部16が配置される範囲において、両側のフラップ部17間の幅を股下弾性体21の収縮によって狭めることができ、着用者が着用しやすく、着用した状態において着用者の股部にフィットしやすい。
【００６２】
さらに、湾曲部22は、吸収本体８の幅方向の最も外側に位置する円弧の最外縁部が、股下部４における長手方向の中央部に位置することにより、股下弾性体21が収縮して吸収本体８の幅が狭くなった状態において、着用者の股下に適用しやすく、密着性を向上できる。
【００６３】
略矩形状の吸収本体８において、吸収体13が括れ部16を有し、その括れ部16の外側に湾曲部22が配置されることで、フラップ部17において湾曲部22による幅方向への収縮力が作用する面積を大きく設定でき、ポケット状の空間を大きく確保できるため、排泄物を保持しやすい。
【００６４】
ここで、股下弾性体21の両端側と吸収体13の幅方向の外側縁部とが交差せず、股下弾性体21の両端側と吸収体13の外側縁部との間に間隔があると、立体ギャザー18の内側のポケット状の空間内では、一時的に保持された排泄物が、吸収体13より外側においてその股下弾性体21と吸収体13との間隔を通るように拡散して、吸収体13により十分に吸収されない可能性がある。
【００６５】
そこで、股下弾性体21の両端側が吸収体13の外側縁部と交差するように配置されていることにより、立体ギャザー18の内側のポケット状の空間が、吸収体13の外側縁部と股下弾性体21によって囲まれるように構成されるため、立体ギャザー18の内側において、排泄物が吸収本体８における前後方向（長手方向）に移動し拡散される際に、吸収体13の外側縁部より幅方向の外側を通って前後方向へ拡散しにくくできる。そのため、排泄物が吸収体13上に保持されて吸収体13に吸収されるように促すことができ、排泄物の漏出を防止できる。
【００６６】
股下弾性体21の湾曲部22は、収縮した状態の自然長の寸法が、湾曲部22の両端部を直線状に結んだ仮想線Ｌの長さ寸法以下であることにより、収縮した状態の股下弾性体21を略直線状にでき、湾曲部22の自然長が仮想線Ｌより長い場合に比べて、吸収本体８の幅を狭くできる。そのため、着用する際に着用者が脚周り開口部10に脚を挿入しやすく着用しやすい。
【００６７】
なお、上記第１の実施の形態では、腹側部３に腹側外装シート６が設けられ、背側部５に背側外装シート７が設けられて、腹側部３と背側部５とが別体のシートで形成された構成としたが、このような構成には限定されず、腹側部３と背側部５とが１つのシートで形成された構成にしてもよい。
【００６８】
吸収本体８は、腹側部３の一部から背側部５の一部にわたって配置された構成としたが、このような構成には限定されず、少なくとも股下部４に配置されていればよい。
【００６９】
また、吸収本体８は、表面シート11と裏面シート12との間に吸収体13が設けられた構成であればよく、例えば吸収体13の表面が図示しないティッシュやフィルム等のシートで被覆された構成等にしてもよい。
【００７０】
立体ギャザー18は、外側面が不透液性であればよく、表面シート11や裏面シート12で形成された構成には限定されず、例えば吸収本体８とは別体のシートで形成された構成等でもよい。
【００７１】
フラップ弾性体19、股下弾性体21、胴周り弾性体25および脚周り弾性体26は、糸状のものに限定されず、帯状やフィルム状等から適宜選択できる。
【００７２】
また、脚周り開口部10には、腹側部３側と背側部５側とで別体の脚周り弾性体26が配設された構成としたが、このような構成には限定されず、腹側部３側から背側部５側へ亘って一体の脚周り弾性体26が配設された構成にしてもよい。
【００７３】
股下弾性体21は、吸収体13の括れ部16の外側に配置された構成には限定されず、吸収本体８における配設箇所は適宜変更できる。
【００７４】
また、股下弾性体21は、両端側が吸収体13の外側縁部と交差するように配置された構成には限定されず、股下弾性体21と吸収体13との位置関係は適宜変更できる。
【００７５】
さらに、股下弾性体21は、湾曲部22の自然長の寸法が湾曲部22の両端部を直線状に結んだ仮想線Ｌの長さ寸法以下である構成には限定されず、股下弾性体21の長さや収縮率は適宜変更できる。
【００７６】
そして、吸収本体８は、図６（ａ）ないし（ｄ）に示す各変形例のように、股下弾性体31，32，33，34の配置を適宜設計できる。
【００７７】
すなわち、図６（ａ）では、２本の股下弾性体31が、吸収体13における長手方向の中央部へ向かって漸次幅が狭くなる傾斜状の外側縁部に接続されるように配置されている。
【００７８】
図６（ｂ）では、股下弾性体32は、一方の弾性体32aが吸収体13における括れ部16の外側縁部に接続され、一方の弾性体32aの外側に位置する他方の弾性体32bが、吸収体13における傾斜状の外側縁部に接続されるように配置されている。
【００７９】
図６（ｃ）では、股下弾性体33は、両端側が括れ部16の両端部に交差し、かつ、両端部がそのまま吸収体13に重なるように長手方向外側に延出するように配設されている。
【００８０】
図６（ｄ）では、股下弾性体34は、複数の凸部としての湾曲部34a，34b，34cが形成されるように配置され、湾曲部34a，34b，34cのうち、中央に位置する湾曲部34bが、両端の湾曲部34a，34cより幅方向外側に突出するように配置されている。
【００８１】
次に、第２の実施の形態を図７および図８を参照して説明する。なお、上記実施の形態と同一の構成および作用については、同一符号を付してその説明を省略する。
【００８２】
図７および図８に示すように、この第２の実施の形態では、上記第１の実施の形態に対して、吸収本体41は、この吸収本体41の幅方向の中央部において、長手方向に沿って伸張状態で配設された糸状の複数（例えば３本）の吸収体弾性体42を有している。
【００８３】
この吸収体弾性体42は、平面視で吸収体13に重なるように配設されているとともに、吸収本体41の長手方向において、湾曲部22が配設された範囲を超えて配設されている。
【００８４】
そして、吸収体弾性体42が収縮することで、吸収体13が着用者側である上方へ引き上げられるように変形する。
【００８５】
ここで、伸張状態で凸状に湾曲して配設された湾曲部22を有する股下弾性体21は、吸収物品体２をパンツタイプ形状にした場合において、直線状になるように変形収縮するため、その収縮によって、吸収本体８における湾曲部22より幅方向の内側の領域を内側方向へ押し出すように作用し、この湾曲部22より幅方向の内側に位置する吸収体13は、着用者の衣類側へ突出するように立体的に変形する。このように吸収体13が衣類側へ突出するように変形すると、着用者との密着性が低下してしまったり、いわゆるごわつきを感じやすくなって着用感が悪化してしまう可能性がある。
【００８６】
そこで、吸収本体８の長手方向において湾曲部22に対応して吸収体弾性体42が配設された構成では、吸収体弾性体42が収縮することによって、吸収体13を着用者側へ向かって引き上げるように変形させて、吸収体13を着用者に密着しやすくでき、密着性を向上できる。
【００８７】
なお、吸収体弾性体42は、糸状である構成には限定されず、紐状、面状およびフィルム状等から適宜選択でき、その数も適宜変更できる。
【００８８】
また、吸収体弾性体42は、吸収本体41の長手方向において、少なくとも股下弾性体21の湾曲部22が配設された範囲に配設されていればよく、例えば吸収本体41の長手方向において、吸収体弾性体42が配設された範囲と湾曲部22が配設された範囲とが同じ長さである構成等にしてもよい。
【００８９】
さらに、吸収体弾性体42は、平面視で吸収体13に重なるように配設されている構成が好ましいが、このような構成には限定されず、収縮によって吸収体13を着用者側へ引き上げるように変形できれば、配設される箇所は適宜変更できる。
【００９０】
また、吸収体弾性体42は、直線状に配設された構成には限定されず、吸収体13を着用者側へ引き上げるように変形できれば、曲線状や部分的に湾曲して配設された構成等に適宜変更できる。
【符号の説明】
【００９１】
１    使い捨て吸収性物品
２    吸収物品体
３    腹側部
４    股下部
５    背側部
６    外装シートとしての腹側外装シート
７    外装シートとしての背側外装シート
８    吸収本体
９    ウエスト開口部
10    脚周り開口部
11    表面シート
12    裏面シート
13    吸収体
16    括れ部
17    フラップ部
18    立体ギャザー
19    フラップ弾性体
21    股下弾性体
22    凸部としての湾曲部
31    股下弾性体
32    股下弾性体
33    股下弾性体
34    股下弾性体
34a   凸部としての湾曲部
34b   凸部としての湾曲部
34c   凸部としての湾曲部
41    吸収本体
42    吸収体弾性体
Ｌ    仮想線
【図１】
2020049287.tif 000003
【図２】
2020049287.tif 000004
【図３】
2020049287.tif 000005
【図４】
2020049287.tif 000006
【図５】
2020049287.tif 000007
【図６】
2020049287.tif 000008
【図７】
2020049287.tif 000009
【図８】
2020049287.tif 000010